Podtech/llm-jp-corpus-v4-ja_patent huggingface dataset:
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
第１の再構成アルゴリズムにより投影データを処理し、第１の再構成ボリュメトリック画像データを再構成するステップであって、第１の再構成ボリュメトリック画像データは、第１の３Ｄノイズ関数を有する、ステップと、
第２の異なる再構成アルゴリズムにより同じ投影データを処理し、第２の再構成ボリュメトリック画像データを再構成するステップであって、第２の再構成ボリュメトリック画像データは、前記第１の３Ｄノイズ関数と異なる第２の３Ｄノイズ関数を有する、ステップと、
主ビューポートに、前記第１又は前記第２の再構成ボリュメトリック画像データを視覚的に提示するステップと、
前記主ビューポートのサブ部分の上に重ねられる関心領域のオーバレイ内に、前記第１又は前記第２の再構成ボリュメトリック画像データの他方のサブ部分を視覚的に提示するステップと、を含む方法。
【請求項２】
前記関心領域のオーバレイが、第１のビューイング領域を有し、
前記方法が、前記第１のビューイング領域より大きい第２のビューイング領域を有するポップアップビューポートを視覚的に提示するステップを更に含み、前記ポップアップビューポートは、前記関心領域のオーバレイに視覚的に提示されるのと同じ前記第１又は第２の再構成ボリュメトリック画像データの前記他方のサブ部分を、前記第２のビューイング領域の前記第１のビューイング領域に対する比に基づいて拡大して、視覚的に提示する、請求項１に記載の方法。
【請求項３】
前記第１の再構成ボリュメトリック画像データが、ノイズ低減されない再構成ボリュメトリック画像データであり、前記第２の再構成ボリュメトリック画像データが、ノイズ低減された再構成ボリュメトリック画像データである、請求項１又は２のいずれかの方法。
【請求項４】
前記第１の再構成ボリュメトリック画像データが、ノイズ低減されない再構成ボリュメトリック画像データであり、前記第２の再構成ボリュメトリック画像データが、ノイズ低減されない再構成ボリュメトリック画像データ及びノイズ低減された再構成ボリュメトリック画像データの組み合わせである、請求項１又は２に記載の方法。
【請求項５】
前記関心領域のオーバレイの位置の変更を示す信号を受け取るステップと、
前記信号に示されている位置へ、前記関心領域のオーバレイを移動させるステップと、
前記位置に基づいて、前記関心領域のオーバレイに表示されるボリュメトリック画像データを更新するステップと、
を含む、請求項１乃至４のいずれか１項に記載の方法。
【請求項６】
前記第１の再構成ボリュメトリック画像データと前記第２の再構成ボリュメトリック画像データとの間で、前記関心領域のオーバレイに表示されるボリュメトリック画像データを切り替えるステップを更に含む、請求項１乃至４のいずれか１項に記載の方法。
【請求項７】
前記関心領域のオーバレイに表示されるボリュメトリック画像データに基づいて、関心のあるノイズレベルを識別するステップを更に含む、請求項１乃至６のいずれか１項に記載の方法。
【請求項８】
前記識別された関心のあるノイズレベルに基づいて、前記第１及び前記第２の再構成ボリュメトリック画像データを組み合わせ、組み合わされたボリュメトリック画像データを生成するステップと、
前記組み合わされたボリュメトリック画像データを視覚的に表示するステップと、
を含む、請求項７に記載の方法。
【請求項９】
関心のあるノイズレベルを受け取るステップと、
前記関心のあるノイズレベルに基づいて、前記第１及び前記第２の再構成ボリュメトリック画像データを組み合わせ、組み合わされたボリュメトリック画像データを生成するステップと、
前記組み合わされたボリュメトリック画像データを視覚的に表示するステップと、
を含む、請求項１乃至７のいずれか１項に記載の方法。
【請求項１０】
前記関心のあるノイズレベルの変更を受け取るステップと、
変更された関心のあるノイズレベルに基づいて、前記第１及び前記第２のボリュメトリック画像データを再び組み合わせて、第２の組み合わされたボリュメトリック画像データを生成するステップと、
前記第２の組み合わされたボリュメトリック画像データを視覚的に表示するステップと、
を含む、請求項９に記載の方法。
【請求項１１】
それぞれ異なる再構成アルゴリズムにより投影データの同じ組を再構成し、第１及び第２の再構成画像データを生成する再構成装置を有するシステムであって、
前記再構成アルゴリズムの１つが、ノイズ除去再構成アルゴリズムであり、前記再構成装置が、
ノイズ除去された再構成画像データのサブ部分を含み、視覚的に表示された画像データのサブ部分の上に重ねられるオーバレイにより、前記第１又は第２の再構成画像データを視覚的に表示すること、又は、
入力ノイズレベルに基づいて、前記第１及び第２の再構成画像データを組み合わせ、組み合わされた画像データを生成し、前記組み合わされた画像データを視覚的に表示すること、
の少なくとも一方を行う、システム。
【請求項１２】
前記再構成装置が、前記オーバレイ内のノイズ除去された再構成画像データのサブ部分の拡大されたビューを含むポップアップビューポートを表示する、請求項１１に記載のシステム。
【請求項１３】
前記オーバレイが、移動可能であり、
前記再構成装置は、前記オーバレイが視覚的に表示された画像データ上の異なるロケーションに移動されることに応じて、前記オーバレイ及び前記ポップアップビューポート内のデータを更新する、請求項１１に記載のシステム。
【請求項１４】
前記再構成装置が、ユーザ入力として関心のあるノイズレベルを受け取り、前記受け取られた関心のあるノイズレベルに基づいて前記第１及び前記第２の再構成画像データを組み合わせる、請求項１１乃至１３のいずれか１項に記載のシステム。
【請求項１５】
前記再構成装置が、次のユーザ入力として関心のあるノイズレベルの変更を受け取り、前記関心のあるノイズレベルの変更に基づいて、前記第１及び第２の再構成画像データを組み合わせる、請求項１３に記載のシステム。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
塗装材を静電噴霧するための装置（Ｉ）であって、
−  塗装材及び空気の流れのための第一パイプ（４）及び第二パイプ（５）をそれぞれ備える噴霧器（１）であって、
塗装材及び空気の前記流れが少なくとも１つの弁（６、７）によって制御され、
前記噴霧器が、前記弁の開閉を制御するための手段（１５）及び高電圧ユニット（１０）も備える、
噴霧器（１）と、
−  高電圧ユニット電源（１０）の発電機（８）であって、前記高電圧ユニットへ送られる電流のための制御モジュール（１２）を備える発電機（８）と、
を備え、
前記噴霧器（１）が、弁座（６４、７４）に対する前記弁（６、７）のシャッタ（６２、７２）の位置を検出できかつ前記高電圧ユニット（１０）のための電流供給を制御するために前記制御モジュール（１２）が使用できる信号（Ｓ１）を出力する少なくとも１つの第一センサ（１７）を備えること、及び、
前記噴霧器が、前記ガン（１）に配置されたスイッチ（１９）の位置を検出して前記高電圧ユニット（１０）のための電源を制御するために前記制御モジュール（１２）が使用できる信号（Ｓ１）を送ることができる第二センサ（１８）を備えること
を特徴とする、
装置。
【請求項２】
前記噴霧器が、前記第一パイプ（４）の中の塗装材の流れを制御する第一弁（６）と前記第二パイプの２つの区分（５ａ、５ｂ）間の空気の流れを制御する第二弁（７）とを備え、かつ、前記第一センサ（１７）が前記第一弁（６）のシャッタ（６２）の位置を検出できることを特徴とする、
請求項１に記載の装置。
【請求項３】
前記噴霧器が、前記第一パイプ（４）の中の塗装材の流れを制御する第一弁（６）と前記第二パイプ（５）の２つの区分（５ａ、５ｂ）間の空気の流れを制御する第二弁（７）とを備え、かつ、前記第一センサ（１７）が前記第二弁（７）のシャッタ（７２）の位置を検出できることを特徴とする、
請求項１に記載の装置。
【請求項４】
塗装材の流れを制御する前記第一弁（６）が、前記噴霧器（１）の筒部（１１）の中を滑動し、塗装材の流れを制御するように設計され、かつ高電圧化されて前記塗装材を帯電させるように設計されたニードル（６２）を形成するシャッタ（６２）を備えることを特徴とする、
請求項２又は３に記載の装置。
【請求項５】
前記噴霧器（１）が、前記弁（６、７）の前記シャッタ（６２、７２）に復帰力（Ｒ）を与える非磁気材料から作られたバネ（２２）を備えることを特徴とする、
請求項１〜４のいずれか１項に記載の装置。
【請求項６】
前記噴霧器（１）が、前記弁（６、７）の前記シャッタ（６２、７２）に復帰力（Ｒ）を与える非磁気材料から作られたバネ（２２）を備え、
前記ニードル（６２）が、前記復帰力（Ｒ）の影響を受けて対応する形状を持つ前記第一弁（６）の弁座（６４）に当接するのに適する形状を持つ端部（６３）を備えることを特徴とする、
請求項４に記載の装置。
【請求項７】
前記高電圧ユニット（１０）が、前記噴霧器（１）の前記筒部（１１）の中に位置付けられ、かつ、前記電源（８）による前記高電圧ユニット（１０）の電力供給に応答して直流高電圧を生成しかつ前記ニードルの前記端部（６３）へ前記高電圧を加えることができることを特徴とする、
請求項６に記載の装置。
【請求項８】
前記スイッチ（１９）が、前記高電圧が前記ニードル（６２）の前記端部（６３）へ加えられる前記噴霧器の第一形態から、前記高電圧ユニット（１０）へ電力が供給されない第二形態へ、操作者によって操作されるように設計されることを特徴とする、
請求項７に記載の装置。
【請求項９】
前記噴霧器（１）が、前記弁（６、７）の前記シャッタ（６２、７２）に復帰力（Ｒ）を与える非磁気材料から作られたバネ（２２）を備え、
前記空気流を制御する前記第二弁（７）が、前記復帰力（Ｒ）の影響を受けて対応する形状を持つ前記第二弁（７）の弁座（７４）に当接するのに適する形状を持つシャッタ（７２）を備えることを特徴とする、
請求項２〜４のいずれか１項に記載の装置。
【請求項１０】
トリガ（１５）が、前記噴霧器（１）の筒部（１１）の長手軸（Ｙ２）に直交する軸（Ｘ２）の周りで前記噴霧器の本体（２１）に関節式に接続されることを特徴とする、
請求項１〜９のいずれか１項に記載の装置。
【請求項１１】
前記噴霧器（１）が、前記弁（６、７）の前記シャッタ（６２、７２）に復帰力（Ｒ）を与える非磁気材料から作られたバネ（２２）を備え、
前記トリガ（１５）が、前記弁（６、７）の前記シャッタ（６２、７２）に当接して、前記復帰力（Ｒ）に対向する力を前記シャッタ（６２、７２）に与えて前記弁座（６４、７４）に対して前記長手軸（Ｙ２）に沿って前記弁の前記シャッタ（６２、７２）を軸方向にオフセットできる延長部（１５２）を備えることを特徴とする、
請求項１０に記載の装置。
【請求項１２】
前記第一及び第二センサ（１７、１８）が、前記センサを前記制御モジュール（１２）に接続するケーブル（１３）に直列に取り付けられることを特徴とする、
請求項１〜１１のいずれか１項に記載の装置。
【請求項１３】
前記第一センサ（１７）がリードセンサ又はホール効果センサであることを特徴とする、
請求項１〜１２のいずれか１項に記載の装置。
【請求項１４】
前記噴霧器が、前記センサ（１７、１８）が中に位置付けられる水密ゾーン（Ａ）を備えことを特徴とする、
請求項１〜１３のいずれか１項に記載の装置。
【請求項１５】
塗装材を静電噴霧するための装置（１）の中に備えられた高電圧ユニットの発電機（８）を制御する方法であって、
前記方法が、更に
ａ）  一方で前記噴霧器の中に備えられかつ弁の開閉手段（１５）用いて始動する弁（６、７）のシャッタ（６２、７２）の位置を検出し、他方でガンに締結されたスイッチ（１９）の位置を変更するステップと、
ｂ）  使用されるセンサの形式に適する接続の手段（１３）によって前記弁（６、７）の位置及び前記スイッチ（１９）の位置に対応する信号（Ｓ１）を前記発電機（８）の制御モジュール（１２）へ送るステップと、
ｃ）  前記受信した信号（Ｓ１）に基づき前記制御モジュール（１２）を用いて、前記発電機（８）の遮断又は起動を制御するステップと、
を含むことを特徴とする、
方法。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
対象のボクセルを含む該対象のボリュームのために計画された、多葉コリメータを通る放射線投与デバイスソースビームの形状を表すソース線量グリッドからの等線量線を受け取るよう又は構成するよう構成される等線量線ユニットと、
少なくとも１つの等線量の関心領域を画定するよう構成され、前記少なくとも１つの等線量の関心領域は、前記受け取られた又は構成された等線量線によって画定される前記対象のボクセルのサブセットである、関心領域ユニットと、
前記少なくとも１つの画定された等線量の関心領域と、該画定された等線量の関心領域のための少なくとも１つの線量目標とに基づき、最適化された放射線治療計画を生成するよう構成される最適化ユニットと
を有する放射線治療プランニングシステム。
【請求項２】
前記対象のボリュームのために計画された前記ソース線量グリッドからの線量ボリュームヒストグラムを受け取るよう又は構成するよう構成される線量ボリュームヒストグラムユニットを更に有し、
前記少なくとも１つの線量目標は、前記受け取られた又は構成された線量ボリュームヒストグラムに基づく、
請求項１に記載の放射線治療プランニングシステム。
【請求項３】
前記受け取られた又は構成された線量ボリュームヒストグラム又は前記受け取られた又は構成された等線量線を視覚化し、医療関係者が前記視覚化された線量ボリュームヒストグラム又は前記視覚化された等線量線のうちの１つを変更することを可能にするよう構成されるユーザインタフェースと、
前記視覚化された線量ボリュームヒストグラム及び前記視覚化された等線量線を表示するよう構成されるディスプレイデバイスと、
前記視覚化された線量ボリュームヒストグラム又は前記視覚化された等線量線のうちの１つに対する前記医療関係者による変更を受け取るよう構成される少なくとも１つの入力デバイスと
を更に有する請求項１又は２に記載の放射線治療プランニングシステム。
【請求項４】
前記少なくとも１つの等線量の関心領域は、
等線量線によって境界を示されたボリューム、
２つの等線量線の間で制限されたボリューム、又は
等線量線の外にあるボリューム
のうちの少なくとも１つを含む、
請求項１乃至３のうちいずれか一項に記載の放射線治療プランニングシステム。
【請求項５】
前記少なくとも１つの線量目標は、前記少なくとも１つの等線量の関心領域を画定する等線量線に関連する線量値の関数の結果を含む、
請求項１乃至４のうちいずれか一項に記載の放射線治療プランニングシステム。
【請求項６】
前記少なくとも１つの線量目標は、
標的ボリュームのための最高等線量に対応する前記少なくとも１つの等線量の関心領域のための一様線量目標若しくは最小線量目標のうちの少なくとも１つ、
前記標的ボリュームのためのより低い等線量に対応する前記画定された少なくとも１つの等線量の関心領域のための一様線量目標、最小線量目標、若しくは最小線量ボリューム目標のうちの少なくとも１つ、又は
前記標的ボリュームの外にある画定された少なくとも１つの等線量の関心領域のための最大線量目標
のうちの少なくとも１つを含む、
請求項１乃至５のうちいずれか一項に記載の放射線治療プランニングシステム。
【請求項７】
前記関心領域の表面を平滑化すること、
小さい隣接した湾曲部を結合すること、又は
膨張又は収縮の隣接した部分を結合すること
のうちの少なくとも１つに基づき、前記画定された少なくとも１つの等線量の関心領域の少なくとも一部分にフィルタをかけるよう構成されるフィルタリングユニット
を更に有する請求項１乃至６のうちいずれか一項に記載の放射線治療プランニングシステム。
【請求項８】
前記放射線治療計画は、放射線治療デバイスがステップ・アンド・シュート技術又は連続運動技術のうちのいずれか１つにおいて放射線の外部ビームを供給するための制御信号を含む、
請求項１乃至７のうちいずれか一項に記載の放射線治療プランニングシステム。
【請求項９】
対象のボクセルを含む該対象のボリュームのために計画された、多葉コリメータを通る放射線投与デバイスソースビームの形状を表すソース線量グリッドからの等線量線を受け取るか又は構成するステップと、
少なくとも１つの等線量の関心領域を画定するステップであり、前記少なくとも１つの等線量の関心領域は、前記受け取られた又は構成された等線量線によって画定される前記対象のボクセルのサブセットである、ステップと、
前記画定された少なくとも１つの関心領域と、該画定された少なくとも１つの等線量の関心領域のための少なくとも１つの線量目標とに基づき、最適化された放射線治療計画を生成するステップと
を有する放射線治療プランニングのための方法。
【請求項１０】
前記受け取るか又は構成するステップは、前記対象のために計画された線量ボリュームヒストグラムを受け取るか又は構成するステップを更に有し、
前記少なくとも１つの線量目標は、前記受け取られた又は構成された線量ボリュームヒストグラムに基づく、
請求項９に記載の方法。
【請求項１１】
前記受け取るか又は構成するステップは、
前記対象のボリュームの画像上に重ね合わされた前記受け取られた又は構成された等線量線及び前記受け取られた又は構成された線量ボリュームヒストグラムを視覚化するステップと、
前記視覚化された線量ボリュームヒストグラム又は前記視覚化された等線量線のうちの１つを変更するステップと
を有する、
請求項９又は１０に記載の方法。
【請求項１２】
前記少なくとも１つの等線量の関心領域は、
等線量線によって境界を示されたボリューム、
２つの等線量線の間で制限されたボリューム、又は
等線量線の外にあるボリューム
のうちの少なくとも１つを含む、
請求項９乃至１１のうちいずれか一項に記載の方法。
【請求項１３】
前記少なくとも１つの線量目標は、
標的ボリュームのための最高等線量に対応する前記少なくとも１つの等線量の関心領域のための一様線量目標若しくは最小線量目標のうちの少なくとも１つ、
前記標的ボリュームのためのより低い等線量に対応する前記画定された少なくとも１つの等線量の関心領域のための一様線量目標、最小線量目標、若しくは最小線量ボリューム目標のうちの少なくとも１つ、又は
前記標的ボリュームの外にある画定された少なくとも１つの等線量のリング関心領域のための最大線量目標
のうちの少なくとも１つを含む、
請求項９乃至１２のうちいずれか一項に記載の方法。
【請求項１４】
前記少なくとも１つの等線量の関心領域の表面を平滑化すること、
小さい隣接した湾曲部を結合すること、又は
膨張又は収縮の隣接した部分を結合すること
のうちの少なくとも１つに基づき、前記画定された少なくとも１つの等線量の関心領域の少なくとも一部分にフィルタをかけるステップ
を更に有する請求項９乃至１３のうちいずれか一項に記載の方法。
【請求項１５】
請求項９乃至１４のうちいずれか一項に記載の方法を実行するように１つ以上の電子データ処理デバイスを制御するよう構成されるソフトウェアを担持する非一時的なコンピュータ可読記憶媒体。
【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
介入配置に対して構成される医療器具と、
前記医療器具上に又は内に取り付けられ、前記介入配置中に前記医療器具の形状を測定する形状感知システムと、
前記医療器具上に又は内に取り付けられた撮像装置であって、前記撮像装置が配置される管腔を撮像する、前記撮像装置と、
動きを考慮して、前記管腔の三次元幾何形状を再構成するように、前記医療器具の前記形状を、特定の時間における前記管腔の画像に位置合わせする位置合わせモジュールと、
を有する医療システム。
【請求項２】
前記形状感知システムが、光ファイバ形状感知システムを含む、請求項１に記載のシステム。
【請求項３】
前記管腔が、血管であり、前記装置が、冠血流予備量比シミュレーションに対するモデルを作成するのに採用される、請求項１に記載のシステム。
【請求項４】
前記撮像装置が、超音波プローブ又は光コヒーレンストモグラフィに対する装置を含む、請求項１に記載のシステム。
【請求項５】
形状データが、動いている管腔の三次元幾何形状を計算するように基準位置を計算するように複数の時間及び位置において収集される、請求項１に記載のシステム。
【請求項６】
前記管腔の形状及び画像に基づいて構築される前記管腔のモデルを有する、請求項１に記載のシステム。
【請求項７】
前記モデルが、血管の長さにわたって冠血流予備量比を計算するのに採用される、請求項６に記載のシステム。
【請求項８】
前記形状感知システムが、少なくとも１つの電磁追跡装置を含む、請求項１に記載のシステム。
【請求項９】
冠血流予備量比（ＦＦＲ）シミュレーションのために管腔の動きを追跡する医療システムにおいて、
介入配置に対して構成される医療器具と、
前記医療器具上に又は内に取り付けられ、前記介入配置中に前記医療器具の形状を測定する形状感知システムと、
前記医療器具上に又は内に取り付けられた撮像装置であって、前記撮像装置が配置される管腔を撮像する、前記撮像装置と、
プロセッサと、
前記プロセッサに結合されたメモリであって、
前記管腔の動きを考慮しながら幾何形状を再構成する融合データを提供するように特定の時間における前記管腔の画像に対して前記医療器具の形状を位置合わせする位置合わせモジュール、及び
前記融合データに基づいて前記管腔の血流特性を計算するＦＦＲシミュレーションモジュール、
を含む、前記メモリと、
を有する医療システム。
【請求項１０】
前記形状感知システムが、光ファイバ形状感知システムを含む、請求項９に記載のシステム。
【請求項１１】
前記撮像装置が、超音波プローブ又は光コヒーレンストモグラフィに対する装置を含む、請求項９に記載のシステム。
【請求項１２】
形状データが、動いている管腔の三次元幾何形状を計算するように基準位置を決定するように複数の時間及び位置において収集される、請求項９に記載のシステム。
【請求項１３】
前記管腔の形状及び画像に基づいて構築された前記管腔のモデルを有する、請求項９に記載のシステム。
【請求項１４】
前記モデルが、血管の長さにわたって冠血流予備量比を計算するのに採用される、請求項９に記載のシステム。
【請求項１５】
管腔の動きを追跡する方法において、
医療器具であって、前記医療器具上に又は内に取り付けられた形状感知システム及び前記医療器具上に又は内に取り付けられた医療撮像装置を持つ、前記医療器具を準備するステップと、
前記医療撮像装置を使用して管腔の画像を、及び介入配置中に前記医療器具の形状を同時に測定するステップと、
動きを考慮して、前記管腔の三次元幾何形状を再構成するように、対応する時間における前記管腔の画像に対して前記医療器具の形状を融合するステップと、
を有する方法。
【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
配列番号２のＣＨ２ドメインと少なくとも９０％の配列同一性を有し、配列番号２のＣＨ２ドメインと比較して、Ｖ２６３Ｌ、Ｖ２７３Ｅ、Ｖ２７３Ｆ、Ｖ２７３Ｍ、Ｖ２７３ＳおよびＶ２７３Ｙから選択される１つ以上の置換を有する変異体ＣＨ２ドメインを含むポリペプチド。
【請求項２】
変異体ＣＨ２ドメインがＴ２５０ＱおよびＭ４２８Ｌを含むＦｃドメインの一部である、請求項１に記載のポリペプチド。
【請求項３】
抗体である、請求項１に記載のポリペプチドであって、該抗体は、ＣＤ４０、ＣＤ２５、ＣＤ３、ＨＬＡ分子、副刺激分子、サイトカイン、ケモカイン、接着分子、活性化マーカーまたは免疫調節性タンパク質に特異的に結合してもよく、さらに、副刺激分子が、ＣＤ２８、ＰＤ−１、ＣＴＬＡ−４、ＣＤ８０、ＣＤ８６、ＴＩＭ３、ＯＸ４０、ＢＢ−１、ＧＩＴＲ、ＣＤ２７、Ｂ７−Ｈ４またはＤＣ−ＳＩＧＮであってもよい、ポリペプチド。
【請求項４】
エフェクター部分または検出可能な標識に連結されている請求項１に記載のポリペプチドを含むコンジュゲート化合物。
【請求項５】
請求項１に記載のポリペプチドおよび医薬として許容される担体または請求項４に記載のコンジュゲート化合物を含む医薬組成物。
【請求項６】
請求項１に記載のポリペプチドをコードするヌクレオチド配列を含む核酸。
【請求項７】
請求項６に記載の核酸を含むベクター。
【請求項８】
請求項７に記載のベクターを含む原核生物の宿主細胞。
【請求項９】
請求項７に記載のベクターを含む真核生物の宿主細胞。
【請求項１０】
請求項６に記載の核酸を発現するように操作された真核生物の宿主細胞。
【請求項１１】
哺乳動物の宿主細胞である、請求項１０に記載の真核生物の宿主細胞。
【請求項１２】
ポリペプチドの生成方法であって、（ａ）請求項１０に記載の真核生物の宿主細胞を培養すること、および（ｂ）ポリペプチドを回収することを含む方法。
【請求項１３】
免疫障害またはがんを治療する必要がある患者の治療に使用するための、請求項１に記載のポリペプチド、請求項５に記載の医薬組成物または請求項４に記載のコンジュゲート化合物。
【請求項１４】
ポリペプチドが抗ＣＤ４０抗体であり、
がんが、慢性リンパ球性白血病、バーキットリンパ腫、多発性骨髄腫、Ｔ細胞リンパ腫、非ホジキンリンパ腫、ホジキン病、ワルデンストレームマクログロブリン血症、カポジ肉腫から選択されてもよい血液がん、または卵巣がん、乳がん、肺がん、黒色腫、膵がんおよび腎臓がんから選択されてもよい固形腫瘍がんである、請求項１３に記載のポリペプチド、医薬組成物またはコンジュゲート化合物。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
不織布研磨物品であって、
ａ）作用面を有する不織布研磨部材であり、
互いに結合された繊維を含む嵩高な開放型の繊維ウェブと、
バインダ材により前記繊維の少なくとも一部分に接着された研磨粒子であり、前記研磨粒子の少なくとも一部分が、前記不織布研磨部材の前記作用面に隣接する前記繊維に沿って、前記研磨粒子の視認可能な外側層を形成し、前記視認可能な外側層にある前記研磨粒子が、ぎっしり詰まっており、個数ベースで少なくとも８０パーセントの、前記視認可能な外側層にある前記研磨粒子が、識別可能な外形を有する、研磨粒子と、を含む、不織布研磨部材と、
ｂ）前記研磨粒子の前記視認可能な外側層の少なくとも一部分に配置された被覆層組成物であり、これによって前記不織布研磨物品を形成し、前記被覆層組成物が、脂肪酸金属塩を含む、被覆層組成物と、
を含む、不織布研磨物品。
【請求項２】
研磨物品の製造方法であって、順次、
ａ）作用面を有する不織布研磨部材を用意する工程であり、前記不織布研磨部材が、
互いに結合された繊維を含む嵩高な開放型の繊維ウェブと、
バインダ材により前記繊維の少なくとも一部分に接着された研磨粒子であり、前記研磨粒子の少なくとも一部分が、前記不織布研磨部材の前記作用面に隣接する前記繊維に沿って、前記研磨粒子の視認可能な外側層を形成し、前記視認可能な外側層にある前記研磨粒子が、ぎっしり詰まっており、個数ベースで少なくとも８０パーセントの、前記視認可能な外側層にある前記研磨粒子が、識別可能な外形を有する、研磨粒子と、を含む、工程と、
ｂ）前記研磨粒子の前記視認可能な外側層の少なくとも一部分に被覆層組成物を配置する工程であり、これによって前記不織布研磨物品を形成し、前記被覆層組成物が、脂肪酸金属塩を含む、工程と、を含む、方法。
【請求項３】
不織布研磨物品であって、
作用面を有する不織布研磨部材であり、
互いに結合された繊維を含む嵩高な開放型の繊維ウェブと、
バインダ材により前記繊維に接着された研磨粒子であり、前記不織布研磨部材の前記作用面が、本明細書に記述される摩擦試験により少なくとも０．５４の動摩擦係数を有する、研磨粒子と、を含む、不織布研磨部材と、
前記作用面に隣接する前記バインダ材及び研磨粒子の少なくとも一部分に配置された被覆層組成物であり、これによって前記不織布研磨物品を形成し、前記被覆層組成物が、脂肪酸金属塩を含む、被覆層組成物と、
を含む、不織布研磨物品。
【請求項４】
研磨物品の製造方法であって、順次、
作用面を有する不織布研磨部材を用意する工程であり、前記不織布研磨部材が、
互いに結合された繊維を含む嵩高な開放型の繊維ウェブと、
バインダ材により前記繊維に接着された研磨粒子であり、前記不織布研磨部材の前記作用面が、本明細書に記述される摩擦試験により少なくとも０．５４の動摩擦係数を有する、研磨粒子と、を含む、工程と、
前記作用面に隣接する前記バインダ材及び前記研磨粒子の少なくとも一部分に被覆層組成物を配置する工程であり、これによって前記不織布研磨物品を形成し、前記被覆層組成物が、脂肪酸金属塩を含む、工程と、
を含む、方法。
【請求項５】
研磨物品の製造方法であって、
ａ）作用面を有する不織布研磨部材を用意する工程であり、前記不織布研磨部材が、
互いに結合された繊維を含む嵩高な開放型の繊維ウェブと、
バインダ材により前記繊維の少なくとも一部分に接着された研磨粒子であり、前記研磨粒子の少なくとも一部分が、前記バインダ材中に少なくとも部分的に埋め込まれている、研磨粒子と、を含む、工程と、
ｂ）前記作用面に隣接する前記バインダ材の一部分をプラズマエッチングして、前記バインダ材中にあらかじめ埋め込まれた前記研磨粒子の一部を露出させることにより、プラズマエッチングされた不織布研磨部材を用意する工程と、
ｃ）前記プラズマエッチングされた前記不織布研磨部材の前記作用面の少なくとも一部分に被覆層組成物を配置する工程であり、前記被覆層組成物が、脂肪酸金属塩を含む、工程と、を含む、方法。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
ヘッドマウントデバイス(HMD)上の拡張現実(AR)オブジェクトを選択するための方法であって、
関心領域(ROI)の少なくとも部分的な輪郭を構成するユーザの少なくとも一方の手の形状によって形成される第1のジェスチャーに基づいて前記ROIを定義するステップと、
前記ユーザに対して前記HMD上に形状を表示するステップであって、前記形状が前記ROIの輪郭を表すステップと、
前記ユーザに対して複数のARオブジェクトを表示するステップであって、前記複数のARオブジェクトの各々が前記ROIの内側の複数の目標のうちの1つに関連付けられるステップと、
第2のジェスチャーに基づいて前記ROIのサイズを縮小して縮小サイズのROIを形成するステップであって、前記第2のジェスチャーが、前記ユーザの前記少なくとも一方の手の第1の動きによって実行されるステップと、
前記複数のARオブジェクトから特定のARオブジェクトを選択するステップであって、前記特定のARオブジェクトが前記縮小されたサイズのROI内の第1の目標に関連付けられ、前記第1の目標が前記ROIの内側の前記複数の目標のうちの1つを備えるステップとを含む方法。
【請求項２】
前記第1のジェスチャーは、前記ユーザの両手によって形成される、請求項1に記載の方法。
【請求項３】
前記ROIのサイズを縮小するための前記第1の動きは、前記ユーザの両手を互いに近付けることを含む、請求項2に記載の方法。
【請求項４】
前記特定のARオブジェクトに複数のオーグメンテーションが関連付けられ、前記方法が、
前記特定のARオブジェクトの方向における前記ユーザの前記少なくとも一方の手の第2の動きに基づいて前記特定のARオブジェクトに関連付けられた前記複数のオーグメンテーションのうちの対応するオーグメンテーションをユーザに対して表示するステップをさらに含む、請求項1に記載の方法。
【請求項５】
前記縮小されたサイズのROIの内側のテキストを取り込むステップと、
前記取り込まれたテキストに基づく翻訳を初期設定するステップとをさらに含む、請求項1に記載の方法。
【請求項６】
前記縮小されたサイズのROIの内側で視覚的認識探索を行うステップをさらに含む、請求項1に記載の方法。
【請求項７】
解除イベントに基づいて前記縮小されたサイズのROIを解除するステップをさらに含む、請求項1に記載の方法。
【請求項８】
前記解除イベントは、前記ユーザの前記少なくとも一方の手が前記ROIから離れたとき、前記ユーザの少なくとも1本の指と親指が互いに近付いたとき、またはユーザによって解除のためのボイスコマンドが発せられたときに生じる、請求項7に記載の方法。
【請求項９】
請求項1乃至8の何れか1項に記載の方法を実施するためのコンピュータ実行可能命令を格納する、1つまたは複数のコンピュータ可読記憶媒体。
【請求項１０】
拡張現実(AR)オブジェクトを選択するためのヘッドマウントデバイス(HMD)であって、
関心領域(ROI)の少なくとも部分的な輪郭を構成するユーザの少なくとも一方の手の形状によって形成される第1のジェスチャーに基づいて前記ROIを定義するための手段と、
前記ユーザに対して前記HMD上に形状を表示するための手段であって、前記形状が前記ROIの輪郭を表す、手段と、
前記ユーザに対して複数のARオブジェクトを表示するための手段であって、前記複数のARオブジェクトの各々が前記ROIの内側の複数の目標のうちの1つに関連付けられる、手段と、
第2のジェスチャーに基づいて前記ROIのサイズを縮小して縮小サイズのROIを形成するための手段であって、前記第2のジェスチャーが、前記ユーザの前記少なくとも一方の手の第1の動きによって実行される、手段と、
前記複数のARオブジェクトから特定のARオブジェクトを選択するための手段であって、前記特定のARオブジェクトが前記縮小されたサイズのROI内の第1の目標に関連付けられ、前記第1の目標が前記ROIの内側の前記複数の目標のうちの1つを備える、手段と、
を備えるHMD。
【請求項１１】
前記第1のジェスチャーは、前記ユーザの両手によって形成される、請求項10に記載のHMD。
【請求項１２】
前記ROIのサイズを縮小するための前記第1の動きは、前記ユーザの両手を互いに近付けることを含む、請求項11に記載のHMD。
【請求項１３】
前記ARオブジェクトに複数のオーグメンテーションが関連付けられ、前記HMDは、
前記特定のARオブジェクトの方向における前記ユーザの前記少なくとも一方の手の第2の動きに基づいて前記特定のARオブジェクトに関連付けられた前記複数のオーグメンテーションのうちの対応するオーグメンテーションをユーザに対して表示するための手段をさらに備える、請求項10に記載のHMD。
【請求項１４】
前記縮小されたサイズのROIの内側のテキストを取り込むための手段と、
前記取り込まれたテキストに基づく翻訳を初期設定するための手段と
をさらに備える、請求項10に記載のHMD。
【請求項１５】
前記縮小されたサイズのROIの内側で視覚的認識探索を行うための手段をさらに備える、請求項10に記載のHMD。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
アプリケーションサービスレイヤ（ＡＳＬ）でサービスをサポートする方法であって、前記方法は、
バッチ化される要求をエンティティから受信することに応答して、
前記バッチ化される要求を処理するステップと、
前記バッチ化される要求への応答を前記エンティティに送るステップと
を備えたことを特徴とする方法。
【請求項２】
前記応答を送る前記ステップは、
前記バッチ化される要求において示された各要求への個別の応答を前記エンティティに送るステップ
をさらに含むことを特徴とする請求項１に記載の方法。
【請求項３】
前記バッチ化される要求のうちの少なくとも２つに対して、前記バッチ化される要求のうちの前記少なくとも２つの動作は、同一の動作であり、および前記動作は、前記バッチ化される要求のうちの前記少なくとも２つに対して１回指定されるのみであることを特徴とする請求項１に記載の方法。
【請求項４】
前記バッチ化される要求において示された前記要求のうちの少なくとも２つに対して、２つの異なる動作が、前記少なくとも２つの要求の一部として示されることを特徴とする請求項１に記載の方法。
【請求項５】
前記応答を送る前記ステップは、前記各動作の前記処理するステップから受信された、前記エンティティへの応答をバッチ化するステップと、前記バッチ化された応答を前記エンティティに送るステップとをさらに含むことを特徴とする請求項１に記載の方法。
【請求項６】
受信することに応答しては、前記バッチ化される要求が、前記バッチ化される要求の名、前記バッチ化される要求に関連付けられた属性、および前記バッチ化される要求がアドレスされるアドレスのうちの少なくとも１つに基づいてバッチ化されることを決定するステップをさらに含むことを特徴とする請求項１に記載の方法。
【請求項７】
前記バッチ化される要求を処理するステップは、前記バッチ化される要求の名、および前記バッチ化される要求の属性のうちの少なくとも１つに基づいて、前記バッチ化される要求のうちの少なくとも２つの要求で実行するための動作を決定するステップをさらに含むことを特徴とする請求項１に記載の方法。
【請求項８】
バッチ化される要求に関連付けられた属性を、前記バッチ化される要求の一部である属性、および前記バッチ化される要求がアドレスされるアドレスに関連付けられた属性のうちの少なくとも１つに基づいて決定するステップをさらに含むことを特徴とする請求項１に記載の方法。
【請求項９】
前記ＡＳＬは、サービス能力レイヤ（ＳＣＬ）であることを特徴とする請求項１に記載の方法。
【請求項１０】
前記バッチ化される要求のうちの少なくとも１つの要求の動作は、作成、検索、更新、および削除のうちの１つであることを特徴とする請求項１に記載の方法。
【請求項１１】
前記エンティティは、アプリケーション、マシンツーマシンアプリケーション、マシンツーマシンデバイス、および別のＡＳＬのうちの１つであることを特徴とする請求項１に記載の方法。
【請求項１２】
前記バッチ化される要求を処理するステップは、前記バッチ化される要求を第２のＡＳＬに送るステップと、バッチ化される要求への応答を前記第２のＡＳＬから受信するステップとを含み、前記応答を送るステップは、前記バッチ化される要求への前記受信した応答を前記エンティティに送るステップを含むことを特徴とする請求項１に記載の方法。
【請求項１３】
サービスをサポートするコンピュータシステムであって、
エンティティから受信されバッチ化される要求を処理し、および前記バッチ化される要求への応答を前記エンティティに送るように構成されたアプリケーションサービスレイヤ（ＡＳＬ）を備えたことを特徴とするコンピュータシステム。
【請求項１４】
前記ＡＳＬは、前記バッチ化される要求において示された各要求を処理するようにさらに構成されることを特徴とする請求項１３に記載のコンピュータシステム。
【請求項１５】
前記バッチ化される要求のうちの少なくとも２つに対して、前記バッチ化される要求のうちの前記少なくとも２つの動作は、同一の動作であり、および前記動作は、前記バッチ化される要求のうちの前記少なくとも２つに対して１回指定されるのみであることを特徴とする請求項１３に記載のコンピュータシステム。
【請求項１６】
前記ＡＳＬは、前記各動作の前記処理から受信された、前記エンティティへの応答をバッチ化し、および前記バッチ化された応答を前記エンティティに送るようにさらに構成されることを特徴とする請求項１３に記載のコンピュータシステム。
【請求項１７】
前記ＡＳＬは、前記バッチ化される要求が、前記バッチ化される要求の名、前記バッチ化される要求に関連付けられた属性、および前記バッチ化される要求がアドレスされるアドレスのうちの少なくとも１つに基づいてバッチ化されることを決定することを特徴とする請求項１３に記載のコンピュータシステム。
【請求項１８】
前記バッチ化される要求のうちの少なくとも１つの要求の動作は、作成、検索、更新、および削除のうちの１つであることを特徴とする請求項１３に記載のコンピュータシステム。
【請求項１９】
前記エンティティは、アプリケーション、マシンツーマシンアプリケーション、マシンツーマシンデバイス、および別のＡＳＬのうちの１つであることを特徴とする請求項１３に記載のコンピュータシステム。
【請求項２０】
前記ＡＳＬは、前記バッチ化される要求を、前記バッチ化される要求を第２のＡＳＬに送り、および前記バッチ化される要求への応答を前記第２のＡＳＬから受信することにより処理するようにさらに構成され、ならびに前記ＡＳＬは、前記バッチ化される要求への前記受信された応答を前記エンティティに送るようにさらに構成されることを特徴とする請求項１３に記載のコンピュータシステム。
【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
カメラと方向センサとを備えたモバイルデバイスの位置特性を判断する方法であって、
前記カメラにより、前記モバイルデバイスからのビューを表す複数の連続する画像をキャプチャするステップと、
前記複数の画像から特徴を追跡するステップと、
前記モバイルデバイスの向きに少なくとも部分的に基づいて前記複数の画像からの前記特徴の非対称的分布を調整するステップであって、前記複数の画像内の前記特徴の前記非対称的分布を調節するステップは、前記複数の画像の中心に基づく領域を用いて前記複数の画像内の前記特徴の前記非対称的分布を補償するステップを含む、ステップと、
前記調節された複数の画像を使用して前記モバイルデバイスの動きの方向に対する不整合角度を判断するステップであって、前記不整合角度を判断するステップは、
前記モバイルデバイスの動きの方向を推定するステップと、
前記方向センサからのセンサデータを使用して前記モバイルデバイスの前記向きを推定するステップと、
前記モバイルデバイスの前記動きの方向および前記向きに少なくとも部分的に基づいて前記不整合角度を判断するステップと、
記憶デバイス内に前記不整合角度および前記動きの方向を記憶するステップと、
を含む、ステップと、
を含む、方法。
【請求項２】
前記複数の画像のパースペクティブを調整するステップが、前記複数の画像内の特徴の位置の加重平均に少なくとも部分的に基づいて前記複数の画像のパースペクティブを補償するステップをさらに含む、請求項1に記載の方法。
【請求項３】
前記複数の画像からの特徴を追跡するステップが、前記複数の画像内の少なくとも1つの移動オブジェクトを消去するために前記複数の画像の特徴内の異常値を除去するステップを含む、請求項1に記載の方法。
【請求項４】
前記モバイルデバイスのジャイロスコープによって提供された情報を使用して前記モバイルデバイスの前記動きの方向に対する前記不整合角度の信頼性を判断するステップと、
前記モバイルデバイスの磁力計によって提供された情報を使用して前記モバイルデバイスの前記動きの方向に対する前記不整合角度の前記信頼性を判断するステップと、
前記複数の画像の特徴を使用して前記モバイルデバイスの前記動きの方向に対する前記不整合角度の前記信頼性を判断するステップと
のうちの少なくとも1つをさらに含む、請求項1に記載の方法。
【請求項５】
前記モバイルデバイスの速度推定を判断するステップと、
前記モバイルデバイスの前記速度推定の信頼性を判断するステップと、
前記モバイルデバイスのユーザをナビゲートするために前記速度推定および前記速度推定の前記信頼性を適用するステップとをさらに含む、請求項1に記載の方法。
【請求項６】
速度推定値を判断するステップが、
前記複数の画像から特徴を抽出するステップと、
前記複数の画像からの前記特徴を使用して前記モバイルデバイスの平均変位を計算するステップと、
前記モバイルデバイスの前記平均変位に少なくとも部分的に基づいて前記速度推定値を計算するステップとを含む、請求項5に記載の方法。
【請求項７】
前記速度推定値を計算するステップが、
前記複数の画像からの前記特徴を比較するステップと、
前記複数の画像内の2つの連続する画像間の画素の分離を判断するステップと、
前記2つの連続する画像間の時間間隔を判断するステップと、
前記画素の分離および前記2つの連続する画像間の前記時間間隔に従って前記モバイルデバイスの前記速度推定値を計算するステップと
を含む、請求項6に記載の方法。
【請求項８】
前記モバイルデバイスのGPS位置情報およびWIFI位置情報の少なくとも一方に従って前記モバイルデバイスの高さを較正するステップをさらに含む、請求項7に記載の方法。
【請求項９】
前記モバイルデバイスのユーザをナビゲートするために前記不整合角度および前記不整合角度の信頼性を適用するステップとをさらに含む、請求項1に記載の方法。
【請求項１０】
1つまたは複数のコンピュータシステムにより実行される命令を格納する非一時的記憶媒体であって、前記命令は、前記1つまたは複数のコンピュータシステムにより実行されたとき、前記1つまたは複数のコンピュータシステムに請求項1乃至9の何れか1項に記載の方法を実行させる、非一時的記憶媒体。
【請求項１１】
カメラと、
方向センサと、
前記カメラで具現化された、モバイルデバイスからのビューを表す複数の連続する画像をキャプチャするための手段と、
前記複数の画像から特徴を追跡するための手段と、
前記モバイルデバイスの向きに少なくとも部分的に基づいて前記複数の画像からの前記特徴の非対称的分布を調整するための手段であって、前記複数の画像内の前記特徴の前記非対称的分布を調節するための手段は、前記複数の画像の中心に基づく領域を用いて前記複数の画像内の前記特徴の前記非対称的分布を補償する手段を含む、手段と、
前記調節された複数の画像を使用して前記モバイルデバイスの動きの方向に対する不整合角度を判断するための手段であって、前記不整合角度を判断するための手段は、
前記モバイルデバイスの動きの方向を推定するための手段と、
前記方向センサからのセンサデータを使用して前記モバイルデバイスの前記向きを推定するための手段と、
前記モバイルデバイスの前記動きの方向および前記向きに少なくとも部分的に基づいて前記不整合角度を判断するための手段と、
記憶デバイス内に前記不整合角度および前記動きの方向を記憶するための手段と、
を備える、手段と、
を備える、システム。
【請求項１２】
前記複数の画像のパースペクティブを調整するための手段が、前記複数の画像内の特徴の位置の加重平均に少なくとも部分的に基づいて前記複数の画像のパースペクティブを補償するステップをさらに含む、請求項11に記載のシステム。
【請求項１３】
前記モバイルデバイスのジャイロスコープによって提供された情報を使用して前記モバイルデバイスの前記動きの方向に対する前記不整合角度の信頼性を判断するための手段と、
前記モバイルデバイスの磁力計によって提供された情報を使用して前記モバイルデバイスの前記動きの方向に対する前記不整合角度の前記信頼性を判断するための手段と、
前記複数の画像の特徴を使用して前記モバイルデバイスの前記動きの方向に対する前記不整合角度の前記信頼性を判断するための手段と
のうちの少なくとも1つをさらに含む、請求項11に記載のシステム。
【請求項１４】
前記モバイルデバイスの速度推定を判断するための手段と、
前記モバイルデバイスの前記速度推定の信頼性を判断するための手段と、
前記モバイルデバイスのユーザをナビゲートするために前記速度推定および前記速度推定の前記信頼性を適用するための手段とをさらに含む、請求項11に記載のシステム。
【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
圧力波を放出させるために試料（３）を励起する励起モジュール（２、１０；９、１０）と、
生成された該圧力波を検出するための音響モジュール（９、１０）と、
該音響モジュール（９、１０）のデータに基づいて音響画像を確定する制御モジュール（１０）とを備えた撮影装置であって、
該撮影装置が、該試料（３）を光学的に結像するための結像モジュール（５）をさらに備えており、該制御モジュール（１０）が、該試料（３）の光学的結像に基づいて、試料境界および該試料（３）内部のセグメント境界のうちの少なくとも一方を特定し、特定された該試料境界およびセグメント境界のうちの少なくとも一方を該音響画像の確定の際に考慮し、
前記制御モジュール（１０）が、前記音響画像を確定するために使用される前記試料（３）の音響伝搬モデルにおいて、特定された前記試料境界およびセグメント境界のうちの少なくとも一方を考慮する、撮影装置。
【請求項２】
前記制御モジュール（１０）が、２次元の光学的撮影に基づいて前記試料境界およびセグメント境界のうちの少なくとも一方を特定する、請求項１に記載の撮影装置。
【請求項３】
前記制御モジュール（１０）が、３次元の光学的撮影に基づいて前記試料境界およびセグメント境界のうちの少なくとも一方を特定する、請求項１に記載の撮影装置。
【請求項４】
試料（３）を照明するための照明モジュール（２）を備えている、請求項１乃至３のいずれか１項に記載の撮影装置。
【請求項５】
前記結像モジュール（５）が対物レンズ（４）を備えている、請求項１乃至４のいずれか１項に記載の撮影装置。
【請求項６】
前記対物レンズ（４）が液浸対物レンズとして構成されている、請求項５に記載の撮影装置。
【請求項７】
圧力波を生成するために前記試料（３）に電磁放射線を当てるように前記励起モジュール（２、１０）が構成されている、請求項１乃至６のいずれか１項に記載の撮影装置。
【請求項８】
前記音響モジュールの圧力センサ（９）が、前記励起モジュールの一部であり、かつ前記試料（３）に向けられた音波を生成するために使用される、請求項１乃至７のいずれか１項に記載の撮影装置。
【請求項９】
圧力波を放出させるために試料を励起し、
生成された該圧力波を検出し、
検出された該圧力波に基づいて音響画像を確定する撮影方法であって、
該試料の光学的結像をさらに実施し、該試料の該光学的結像に基づいて試料境界および該試料内部のセグメント境界のうちの少なくとも一方を特定し、特定された該試料境界およびセグメント境界のうちの少なくとも一方を該音響画像の確定の際に考慮する、撮影方法。